(57)【要約】      （修正有）【課題】綿帽子を無理なく花嫁にかぶせることができて結婚式の参列者を長時間待たせることのない綿帽子用補整器具を提供する。【解決手段】水平アームおよびその中央部分に立設した垂直アームを備えた逆Ｔ型部材と、前記逆Ｔ型部材のほぼ中央の下端に取り付けられた、花嫁の後頭部の頭髪に差し込む複数の挿入片１２と、前記逆Ｔ型部材の垂直アーム上に首振り可能に取り付けられた中央フレーム１４と、前記逆Ｔ型部材の水平アームの両端にそれぞれ首振り可能に取り付けられた前部フレーム２１および後部フレーム３１とを備え、前記中央フレームは、上部アーチ状支持部１４ａで構成されており、前記前部フレームは、前部アーチ状支持部で構成されており、前記後部フレームは、後部アーチ状支持部３１ａで構成されている。【選択図】図７
0003214126.tif 000002
【実用新案登録請求の範囲】
【請求項１】
水平アームおよびその中央部分に立設した垂直アームを備えた逆Ｔ型部材と、
前記逆Ｔ型部材のほぼ中央の下端に取り付けられた、花嫁の後頭部の頭髪に差し込む複数の挿入片と、
前記逆Ｔ型部材の垂直アーム上に首振り可能に取り付けられた中央フレームと、
前記逆Ｔ型部材の水平アームの両端にそれぞれ首振り可能に取り付けられた前部フレームおよび後部フレームとを備え、
前記中央フレームは、綿帽子のほぼ中央部分を支える上部アーチ状支持部で構成されており、
前記前部フレームは、綿帽子の前部を支える前部アーチ状支持部と、該前部アーチ状支持部から後方に突き出すように取り付けられ、前記逆Ｔ型部材の一端に連結される前部連結軸とで構成されており、
前記後部フレームは、綿帽子の後部を支える後部アーチ状支持部と、該後部アーチ状支持部から前方に突き出すように取り付けられ、前記逆Ｔ型部材の他端に連結される後部連結軸とで構成されており、
前記中央フレーム、前部フレームおよび後部フレームを開いた上、花嫁の後頭部の頭髪に上部から前記複数の挿入片を差し込み、前記各アーチ状支持部にまたがって綿帽子をかぶせて使用するようにしたことを特徴とする綿帽子用補整器具。
【請求項２】
前記中央フレーム、前部フレームおよび後部フレームは、アルミニウムをはじめとする金属あるいはその合金、合成樹脂からなる軽量の帯状部材で形成されていることを特徴とする請求項１に記載の綿帽子用補整器具。
【請求項３】
前記中央フレーム、前部フレームおよび後部フレームを構成する各アーチ状支持部は、各フレームと同一の素材からなる補強材の一端を適宜間隔で各アーチ状支持部に固定し、かつ補強材の他端を連結して各アーチ状支持部を補強したことを特徴とする請求項１または２に記載の綿帽子用補整器具。
【請求項４】
前記中央フレームの複数の挿入片は、帯状部材にひねりを加えて強度を向上させてなることを特徴とする請求項１ないし３のいずれかに記載の綿帽子用補整器具。
【考案の詳細な説明】
【技術分野】
【０００１】
この考案は、神前結婚式の際に花嫁が綿帽子を被るのに適した綿帽子用補整器具に関する。
【背景技術】
【０００２】
古来から、神前結婚式においては花嫁が新郎以外の男性に顔を見せないという習慣により、神前で花嫁が白い綿帽子を被ることが行われる。
この綿帽子を被着する際には、高島田等の日本髪かつらを着用して、その上から綿帽子を被せるのが通例である。
そのため、地毛の頭髪でかつらを着用するための下地を作った後、各自の頭部のサイズにあった日本髪かつらを着用し、髪形を整える調整を行わなければならなかった。
【０００３】
そのため、予め花嫁の頭部に合ったサイズの日本髪かつらを準備していた場合でも、実際にそのかつらを着用させて綿帽子を被せるのに少なくとも１０分は要しており、熟練を要するために美容師の負担が非常に大きかった。さらに、日本髪かつらは重いため、花嫁の負担が大きいという問題もあった。
そこで、このような問題を解決するために特開２０１５−１４３４０２号公報（特許文献１参照）のように、使用者の前頭部に被着可能な可撓性を有する基材に、日本髪かつらの前髪に相当する前髪部と、左右の鬢の少なくとも前側部分に相当する一対の鬢部とを取り付け、前記基材の前記前髪部を装着した中央部から後方に延びる帯状支持片と、該帯状支持片から上方に延びるステイによって支持され、前記帯状支持片と直交する左右方向に延びて上方に凸に湾曲した綿帽子頂部支持部材と、前記帯状支持片の後端部に取り付けられた綿帽子後部支持部材とを設けた綿防止用簡易日本髪かつらが提案されている。
【０００４】
しかしながら、前記特許文献１の綿防止用簡易日本髪かつらにおいては、簡易ではあっても日本髪かつらを着用させて綿帽子を被せる手間は軽減されないために美容師の負担の軽減にはつながらず、また洋髪にお色直しする場合の作業時間の短縮という面ではあまり改善にはならないために、結婚式の参列者を長時間待たせてしまうという問題はほとんど解消できなかった。
【０００５】
そのため、綿帽子を無理なく花嫁にかぶせることができて美容師の負担を大幅に軽減することができ、また洋髪にお色直しする場合には簡易かつ迅速に綿帽子を花嫁から取り除くことができて結婚式の参列者を長時間待たせることのない綿帽子用補整器具を提供することが課題となっていた。
【０００６】
そこで本考案者は、実願２０１７−４８０号（実用新案登録第３２１０００８号公報、特許文献２参照）において、花嫁の後頭部の頭髪に差し込む複数の挿入片を備えた中央フレームと、該中央フレームの適所に取り付けられた連結アームにそれぞれ首振り可能に取り付けられた前部フレームおよび後部フレームとを備え、前記中央フレームは、綿帽子のほぼ中央部分を支える上部アーチ状支持部と、該アーチ状支持部から下方に突き出すように保持された前記複数の挿入片とで構成されており、前記前部フレームは、綿帽子の前部を支える前部アーチ状支持部と、該前部アーチ状支持部から後方に突き出すように取り付けられ、前記中央フレームの連結アームに連結される前部連結軸とで構成されており、前記後部フレームは、綿帽子の後部を支える後部アーチ状支持部と、該後部アーチ状支持部から前方に突き出すように取り付けられ、前記中央フレームの連結アームに連結される後部連結軸とで構成されており、前記中央フレーム、前部フレームおよび後部フレームを連結した上、花嫁の後頭部の頭髪に上部から中央フレームの前記複数の挿入片を差し込み、前記各アーチ状支持部にまたがって綿帽子をかぶせて使用するようにした綿帽子用補整器具を提案した。
【先行技術文献】
【特許文献】
【０００７】
【特許文献１】特開２０１５−１４３４０２号公報
【特許文献２】実用新案登録第３２１０００８号公報
【考案の概要】
【考案が解決しようとする課題】
【０００８】
しかしながら、前記特許文献２の綿帽子用補整器具においては、花嫁の後頭部の頭髪に差し込む複数の挿入片と中央フレームとが一体的に形成されているため、綿帽子の傾きを直そうとすると挿入片が髪のセットの状態を乱してしまうという問題があった。
また、写真撮影時等において花嫁の顔が十分に見えるように、補整器具を簡単に操作できるようにすることが望まれていた。
【０００９】
この考案の綿帽子用補整器具は従来例の上記課題を解消しようとするものであり、花嫁の後頭部の頭髪に差し込む複数の挿入片と中央フレームとを角度調整可能に連結することにより、綿帽子の傾きを挿入片が髪へ挿し込まれている角度を変えることなく調整することができ、また花嫁の顔がよく見えるように前部フレームの傾きを単独で調整することが可能な綿帽子用補整器具を提供することを目的とするものである。
【課題を解決するための手段】
【００１０】
すなわちこの考案の綿帽子用補整器具は、水平アームおよびその中央部分に立設した垂直アームを備えた逆Ｔ型部材と、
前記逆Ｔ型部材のほぼ中央の下端に取り付けられた、花嫁の後頭部の頭髪に差し込む複数の挿入片と、
前記逆Ｔ型部材の垂直アーム上に首振り可能に取り付けられた中央フレームと、
前記逆Ｔ型部材の水平アームの両端にそれぞれ首振り可能に取り付けられた前部フレームおよび後部フレームとを備え、
前記中央フレームは、綿帽子のほぼ中央部分を支える上部アーチ状支持部で構成されており、
前記前部フレームは、綿帽子の前部を支える前部アーチ状支持部と、該前部アーチ状支持部から後方に突き出すように取り付けられ、前記逆Ｔ型部材の一端に連結される前部連結軸とで構成されており、
前記後部フレームは、綿帽子の後部を支える後部アーチ状支持部と、該後部アーチ状支持部から前方に突き出すように取り付けられ、前記逆Ｔ型部材の他端に連結される後部連結軸とで構成されており、
前記中央フレーム、前部フレームおよび後部フレームを開いた上、花嫁の後頭部の頭髪に上部から前記複数の挿入片を差し込み、前記各アーチ状支持部にまたがって綿帽子をかぶせて使用するようにしたことを特徴とするものである。
【００１１】
この考案の綿帽子用補整器具において、前記中央フレーム、前部フレームおよび後部フレームは、アルミニウムをはじめとする金属あるいはその合金、合成樹脂からなる軽量素材で形成されていることをも特徴とするものである。
【００１２】
この考案の綿帽子用補整器具において、前記中央フレーム、前部フレームおよび後部フレームを構成する各アーチ状支持部は、各フレームと同一の素材からなる補強材の一端を適宜間隔で各アーチ状支持部に固定し、かつ補強材の他端を連結して各アーチ状支持部を補強したことをも特徴とするものである。
【００１３】
この考案の綿帽子用補整器具において、前記中央フレームの複数の挿入片は、帯状部材にひねりを加えて強度を向上させてなることをも特徴とするものである。
【考案の効果】
【００１４】
この考案による綿帽子用補整器具を使用すれば、花嫁が洋髪のまま複数の挿入片を後頭部の頭髪に差し込むだけでよく、きわめて短時間で誰でも簡単に装着することができる。そして、その上から綿帽子を被れば、前記中央フレーム、前部フレームおよび後部フレームにおける各アーチ状支持部にそれぞれ支持されて形が整えられるので、高島田のかつらを着用して綿帽子を被った場合と同様な外観になる。
したがってこれを使用すれば、綿帽子の着脱時間が数十秒程度で済み、お色直しの際にも簡易かつ迅速な取り外しおよび取り付けが可能になり、取り外した後の地毛の髪型にほとんど影響がないため、花嫁の負担も少なくて済む。
【００１５】
また、各部材を構成する素材が帯状でかつ軽量であるため、美容師が取り扱う際の負担が少なく、もちろん花嫁の負担の軽減にもつながり、非常に有意義な綿帽子用補整器具を提供することが可能となる。
さらに、前記挿入片は帯状部材にひねりが加えてあるため、強度の向上のみならず挿入片が頭髪に差し込みやすくかつしっかりと固定することができるという効果がある。
【００１６】
さらに、花嫁の後頭部の頭髪に差し込む複数の挿入片と中央フレームとを角度調整可能に連結したことにより、綿帽子の傾きを挿入片が髪へ挿し込まれている角度を変えることなく調整することができ、例えば写真撮影時に花嫁の顔が充分に見えるようにすることができるようになった。
【図面の簡単な説明】
【００１７】
【図１】この考案の綿帽子用補整器具を構成する中央フレームおよび挿入片の１例を示す正面図である。
【図２】その斜視図である。
【図３】この考案による綿帽子用補整器具を構成する前部フレームおよび後部フレームの１例を示す平面図である。
【図４】その斜視図である。
【図５】中央フレーム、前部フレームおよび後部フレームの組み付け方を説明するための分解斜視図である。
【図６】中央フレーム、前部フレームおよび後部フレームを組み付けた状態を説明するための斜視図である。
【図７】前記各フレームを取り付けた上に綿帽子をかぶせた状態を示す斜視図である。
【図８】この考案における綿帽子用補整器具の前部フレームおよび後部フレームの挙動を示す概略側面図である。
【図９】綿帽子用補整器具を花嫁の頭部に装着しようとする段階の概略側面図である。
【図１０】綿帽子用補整器具を花嫁の頭髪内に装着した段階の概略側面図である。
【図１１】さらに綿帽子を被せた状態の概略側面図である。
【考案を実施するための形態】
【００１８】
以下、この考案の綿帽子用補整器具を実施するための形態を図面に基いて詳細に説明する。
図１はこの考案による綿帽子用補整器具を構成する中央フレームおよび挿入片の１例を示す正面図であり、図２はその斜視図である。
また図３はこの考案による綿帽子用補整器具を構成する前部フレームおよび後部フレームの１例を示す平面図であり、図４はその斜視図である。
この考案の綿帽子用補整器具は、図１および図２に示すように、水平アーム１１ａおよびその中央部分に立設した垂直アーム１１ｂからなる逆Ｔ型部材１１を備えており、前記逆Ｔ型部材１１の水平アーム１１ａのほぼ中央位置の下端には、花嫁の後頭部の頭髪に差し込む複数の挿入片１２が固定されている。
【００１９】
前記逆Ｔ型部材１１の水平アーム１１ａのほぼ中央位置の下端に固定した複数の挿入片１２は、Ｖ字状に分岐させた第１挿入片１２ａおよび第２挿入片１２ｂとで構成され、それぞれの内側には分岐挿入片１２ｃ，１２ｄが前記第１挿入片１２ａおよび第２挿入片１２ｂと平行になるよう配設されている。
さらに前記複数の挿入片１２は、素材の帯状部材にひねりｔを加えて強度を向上させてあり、花嫁のヘアメイクされた髪を崩すことなくスムーズに抜き差しでき、多少の負荷がかかっても折れることはない。
以上のように前記挿入片１２を４本とすることにより、後頭部の毛髪に差し込む際に後頭部に触れる面積が拡がり、綿帽子用補整器具全体の安定を向上させる働きがある。
しかも、綿帽子用補整器具と頭部との密着度を高め、安定性の精度を上げることにより綿帽子を花嫁に被せて着用した時の長時間の歩行を可能とし、かつ綿帽子が前後左右に揺れたとしてもずれることがなく、綿帽子用補整器具をアルミニウム合金等の軽量素材で形成したことと相まって花嫁の首への負担も大幅に軽減することができる。
【００２０】
前記逆Ｔ型部材１１には、水平アーム１１ａのほぼ中央に立設した垂直アーム１１ｂ上に連結軸１３を介して中央フレーム１４が首振り自在に取り付けられており、さらに前記逆Ｔ型部材１１の水平アーム１１ａの両端にはそれぞれ連結軸２２を介して前部フレーム２１が、また連結軸３２を介して後部フレーム３１が首振り可能に取り付けられている。
なお、これらの連結軸１３，３２等の締結は、蝶ねじや角ねじ等（図示せず）を利用することができるがそれらに限定するものではない。
前記中央フレーム１４は、アルミニウムをはじめとする金属やその合金、合成樹脂からなる軽量素材で形成されているため非常に軽量であり、作業が行いやすいばかりか、花嫁への負担も大幅に軽減することができる。
【００２１】
前記中央フレーム１４を構成する上部アーチ状支持部１４ａは、その中間位置に所定間隔で一対の平行な支持脚１４ｃを備えたコ字状の第１補強材１４ｂの先端を固定し、さらにその両側から前記支持脚１４ｃの基端に繋げるように第２補強材１４ｄを斜めに取り付けている。１４ｅは前記上部アーチ状支持部１４ａの両端から前記一対の第２補強材１４ｄの中間位置に連結した第３補強材であり、１４ｆはコ字状の第１補強材１４ｂの内側に取り付けた補強フレームである。なお、この補強フレーム１４ｆと同様の補強は前部フレーム２１および後部フレーム３１の同じ箇所にも設けることができる。
【００２２】
次に、図３および図４に示すように、前記前部フレーム２１は、綿帽子の前部を支える前部アーチ状支持部２１ａと、該アーチ状支持部２１ａに先端を固定された一対の平行な支持脚２１ｃを備えたコ字状の第１補強材２１ｂで構成されている。さらにその両側から前記第１補強材２１ｂの基端に繋げるように第２補強材２１ｄを斜めに取り付けている。２１ｅは前記上部アーチ状支持部２１ａの両端から前記一対の第２補強材２１ｄの中間位置に連結した第３補強材である。
前記前部フレーム２１も、アルミニウムをはじめとする金属やその合金、合成樹脂からなる軽量素材で形成されているため非常に軽量であり、作業が行いやすいばかりか、花嫁への負担も大幅に軽減することができる。
また、前記前部フレーム２１の各部材は、溶接やねじ止め等の手段で固定され、前部アーチ状支持部２１ａを補強している。
【００２３】
次に、前記後部フレーム３１を構成する後部アーチ状支持部３１ａは、後部フレーム３１と同一の素材からなる連結部材３１ｂを後部アーチ状支持部３１ａの両端に溶接やねじ止め等の手段で固定している。
なお、３１ｃは後部アーチ状支持部３１ａと連結部材３１ｂの中間位置にそれぞれ端部を固定した中間部材である。
【００２４】
図５（組み付け前）および図６（組み付け後）に示すように、前記前部フレーム２１および後部フレーム３１とは、前記逆Ｔ型部材１１の連結片１５、連結片１６部分に、前部フレーム２１および後部フレーム３１の各連結軸２２，３２を差し込み、それぞれカシメ等の手段で首振り可能に取り付けられている。
その上で、花嫁の後頭部の頭髪に上部から複数の挿入片１２を所定の角度で差し込んで固定する。その際、前記複数の挿入片１２は素材の帯状部材にひねりｔを加えて強度を向上させてあり、スムーズに挿入されるとともに多少の負荷がかかっても折れたり曲がったりすることはない。
図７は、花嫁の後頭部に前記各フレーム１４，２１，３１を取り付けた上、各アーチ状支持部１４ａ，２１ａ，３１ａにまたがって綿帽子４１をかぶせて使用可能とした状態を示すものである。
【００２５】
この実施例における綿帽子用補整器具は図８ないし図９のように使用される。すなわち、図８に示すように綿帽子用補整器具は、前記逆Ｔ型部材１１の水平アーム１１ａの上部中央に立設した垂直アーム１１ｂ上に、前記中央フレーム１４を連結軸１３を介して首振り自在に連結し、さらに前部フレーム２１および後部フレーム３１を前記水平アーム１１ａの両端に首振り可能に取り付けている。
この綿帽子用補整器具を図９および図１０のように、前記逆Ｔ型部材１１に垂設した挿入片１２の先端から花嫁の後頭部の頭髪に、頭頂部を基準（ゴールデンポイント）としてやや前向きになるよう差し込む。その際には前記中央フレーム１４がぐらつかないように４本の挿入片１２で頭髪内にしっかり装着されるが、中央フレーム１４の角度は連結軸１３を介して自在に調整することが可能である。
その上で、図１１のように各フレーム１４，２１，３１上から綿帽子４１を被せるのである。もちろん、前記挿入片１２を頭髪に差し込む角度や差し込む深さ等によって全体の高さを決め、前部フレーム２１および後部フレーム３１を首振りさせてその角度を決めればよい。
なお、後部フレーム３１を首振りさせて角度を変えることによって顔回りの綿帽子４１が開閉する。
【００２６】
本考案の綿帽子用補整器具によれば、前記逆Ｔ型部材１１に立設した複数の挿入片１２を花嫁の後頭部の頭髪に差し込むだけで、きわめて短時間で誰でも簡単に装着することができる。そして、その上から綿帽子４１を被せれば、綿帽子４１は前記中央フレーム１４、前部フレーム２１および後部フレーム３１における各アーチ状支持部１４ａ，２１ａ，３１ａにそれぞれ支持されて形が整えられるので、高島田のかつらを着用して綿帽子４１を被った場合と同様な外観になる。
したがってこれを使用すれば、綿帽子４１の着脱時間が数十秒程度で済み、お色直しの際にも簡易かつ迅速な取り外しおよび取り付けが可能になり、取り外した後の地毛の髪型にほとんど影響がないため、花嫁の負担も少なくて済む。
【００２７】
また、各部材を構成する素材が帯状でかつ軽量であるため、美容師が取り扱う際の負担が少なく、もちろん花嫁の負担の軽減にもつながり、非常に有意義な綿帽子用補整器具を提供することが可能となる。
なお、前記各フレームを逆Ｔ型部材１１を介して首振り可能に取り付けていることで、綿帽子の布に前記各フレームの跡が見えすぎてしまうことがなく、前部フレーム２１および後部フレーム３１の位置を下げることにつながって綿帽子の布を下から上へ支えることが可能となる。また、綿帽子を被せた時の見た目も、よりきれいでかつ安定感を増すこととなる。
【産業上の利用可能性】
【００２８】
以上、この考案の綿帽子用補整器具の実施例について説明してきたが、その実施例における各部材の具体的な構成や形状及び材料等は、実施例に記載したものに限るものではない。
また、この考案の綿帽子用補整器具は前記実施例に限定されるものではなく、実用新案登録請求の範囲の各請求項に記載された技術的特徴を備えている限り、何ら限定されるものではない。
【符号の説明】
【００２９】
１１  逆Ｔ型部材
１１ａ  水平アーム
１１ｂ  垂直アーム
１２  挿入片
１２ａ  第１挿入片
１２ｂ  第２挿入片
１２ｃ  分岐挿入片
１２ｄ  分岐挿入片
１３  連結軸
１４  中央フレーム
１４ａ  上部アーチ状支持部
１４ｂ  第１補強材
１４ｃ  支持脚
１４ｄ  第２補強材
１４ｅ  第３補強材
１４ｆ  補強フレーム
１５  連結片
１６  連結片
２１  前部フレーム
２１ａ  前部アーチ状支持部
２１ｂ  第１補強材
２１ｃ  支持脚
２１ｄ  第２補強材
２１ｅ  第３補強材
２２  連結軸
３１  後部フレーム
３１ａ  後部アーチ状支持部
３１ｂ  連結部材
３１ｃ  中間部材
３２  連結軸
４１  綿帽子
ｔ  ひねり
【図１】
0003214126.tif 000003
【図２】
0003214126.tif 000004
【図３】
0003214126.tif 000005
【図４】
0003214126.tif 000006
【図５】
0003214126.tif 000007
【図６】
0003214126.tif 000008
【図７】
0003214126.tif 000009
【図８】
0003214126.tif 000010
【図９】
0003214126.tif 000011
【図１０】
0003214126.tif 000012
【図１１】
0003214126.tif 000013